(57)【要約】【課題】小型のヘッドアップディスプレイ装置を提供する。【解決手段】ヘッドアップディスプレイ装置１００は、下ケース１１２と、下ケース１１２に装着されて下ケース１１２とともに筐体１１０を形成する上ケース１１１と、下ケース１１２に固定される表示器１２０と、下ケース１１２に収容され、表示器１２０が出射した光をフロントガラスに導く光学系１３０，１４０と、表示器１２０を制御する制御基板１５０と、を備える。制御基板１５０は、上ケース１１１の天面と表示器１２０の上面との間に設けられている。【選択図】図２
2018120209.tif 000002
【特許請求の範囲】
【請求項１】
下ケースと、
前記下ケースに装着されて前記下ケースとともに筐体を形成する上ケースと、
前記下ケースに固定される表示器と、
前記下ケースに収容され、前記表示器が出射した光を被投射部材に導く光学系と、
前記表示器を制御する制御基板と、を備え、
前記制御基板は、前記上ケースの天面と前記表示器の上面との間に設けられている、
ことを特徴とするヘッドアップディスプレイ装置。
【請求項２】
前記筐体内において、前記制御基板が位置する空間と前記表示器から出射される前記光が通る空間との間を仕切るブラインド部を備える、
ことを特徴とする請求項１に記載のヘッドアップディスプレイ装置。
【請求項３】
前記光学系は、
平面鏡と、
前記平面鏡を保持する平面鏡保持部と、をさらに備え、
前記ブラインド部は、前記平面鏡保持部と一体で形成される、
ことを特徴とする請求項２に記載のヘッドアップディスプレイ装置。
【請求項４】
前記制御基板、前記ブラインド部および前記下ケースを互いに固定する、それぞれ同一方向に延びる複数のねじを備え、
前記各ねじは、前記ヘッドアップディスプレイ装置から前記上ケースを取り外したときに外部に露出する頭部を備える、
ことを特徴とする請求項２または３に記載のヘッドアップディスプレイ装置。
【請求項５】
前記表示器は、前記光が出射される表示面を有し、
前記表示面は、前記ブラインド部に対して鋭角をなすように斜め上に向けて配置される、
ことを特徴とする請求項２から４のいずれか１項に記載のヘッドアップディスプレイ装置。
【発明の詳細な説明】
【技術分野】
【０００１】
本発明は、ヘッドアップディスプレイ装置に関する。
【背景技術】
【０００２】
実景に重畳するように虚像を表示するヘッドアップディスプレイ（ＨＵＤ：Ｈｅａｄ−Ｕｐ  Ｄｉｓｐｌａｙ）装置が知られている。例えば、特許文献１に開示されるＨＵＤ装置は、表示光を出射する光源ユニットと、光源ユニットからの表示光をフロントガラスに導く反射体と、光源ユニットおよび反射体が収容されるケース体と、ケース体の外部に設けられ、光源ユニットを制御する制御基板と、を備える。
【先行技術文献】
【特許文献】
【０００３】
【特許文献１】特開２０１６−４５３８８号公報
【発明の概要】
【発明が解決しようとする課題】
【０００４】
特許文献１に記載のＨＵＤ装置においては、制御基板はケース体の外部に設けられている。このため、ＨＵＤ装置のサイズが大型化していた。
【０００５】
本発明は、上記問題点に鑑みてなされたものであり、小型のヘッドアップディスプレイ装置を提供することを目的とする。
【課題を解決するための手段】
【０００６】
上記目的を達成するため、本発明に係るヘッドアップディスプレイ装置は、
下ケースと、
前記下ケースに装着されて前記下ケースとともに筐体を形成する上ケースと、
前記下ケースに固定される表示器と、
前記下ケースに収容され、前記表示器が出射した光を被投射部材に導く光学系と、
前記表示器を制御する制御基板と、を備え、
前記制御基板は、前記上ケースの天面と前記表示器の上面との間に設けられている。
【発明の効果】
【０００７】
本発明のヘッドアップディスプレイ装置によれば、小型のヘッドアップディスプレイ装置を提供することができる。
【図面の簡単な説明】
【０００８】
【図１】本発明の実施の形態に係るヘッドアップディスプレイ装置の概略図である。
【図２】図１に示すヘッドアップディスプレイ装置を表示器が見える位置においてｘｚ平面で切断した断面図である。
【図３】図１に示すヘッドアップディスプレイ装置の下ケースの斜視図である。
【図４】図１に示すヘッドアップディスプレイ装置の上ケースの底面図である。
【図５】図１に示すヘッドアップディスプレイ装置を外光センサ周りが見える位置においてｘｚ平面で切断した断面図である。
【図６】図１に示すヘッドアップディスプレイ装置の上ケース、制御基板および平面鏡保持部材を外した平面図である。
【図７】図１に示すヘッドアップディスプレイ装置の上ケースを外した凹面鏡周りの拡大斜視図である。
【図８】図１に示すヘッドアップディスプレイ装置の上ケースを外した平面図である。
【図９】（ａ）は、図１に示すヘッドアップディスプレイ装置の平面鏡と平面鏡保持部材とを配置した下ケースの斜視図、（ｂ）は、同平面図である。
【図１０】図１に示すヘッドアップディスプレイ装置の上ケースを外し、表示器の表示面をｘｚ平面で切断した断面図である。
【発明を実施するための形態】
【０００９】
以下、本発明の実施形態に係るヘッドアップディスプレイ装置（以下、「ＨＵＤ装置」と称する。）を、図面を参照しながら説明する。なお、説明における上下前後左右およびｘ，ｙ，ｚ軸は、各図の矢印に従う。
【００１０】
本実施形態に係るＨＵＤ装置１００は、図１に示す様に、車両３００の例えば図示しないダッシュボード内に搭載され、車両３００の被投射部材であるフロントガラス２００に向けて表示光Ｌを出射する。運転者である視認者Ｕは、フロントガラス２００で反射した表示光Ｌを受けて、フロントガラス２００を通して見える虚像Ｖを視認する。
【００１１】
ＨＵＤ装置１００は、図２と図５に示すように、筐体１１０と、表示器１２０と、平面鏡１３０と、凹面鏡１４０と、制御基板１５０と、外光センサ１６０と、導光体１７０と、平面鏡１３０を保持する平面鏡保持部材１８０と、を備える。ＨＵＤ装置１００は、表示器１２０から表示光Ｌを平面鏡１３０へ出射し、平面鏡１３０で表示光Ｌを反射し、その後凹面鏡１４０で表示光Ｌを反射する。凹面鏡１４０で反射された表示光Ｌは、筐体１１０の後述する上ケース１１１の開口部１１３を通過し、フロントガラス２００で反射される。
【００１２】
筐体１１０は、例えば黒色の合成樹脂により形成される。筐体１１０は、上方に開口した箱状に形成される下ケース１１２と、下ケース１１２を上方から閉じるように下ケース１１２の上部に装着される上ケース１１１と、を備える。
図２と図５に断面図で、図４に底面図で示すように、上ケース１１１には、凹面鏡１４０で反射された表示光Ｌを通過させる開口部１１３が設けられている。開口部１１３を覆うように、透光性のカバー１１４が配置される。カバー１１４は、例えば、開口部１１３にレーザ溶着されている。上ケース１１１は、開口部１１３と表示器１２０との間に遮光壁１１５を有する。遮光壁１１５は、開口部１１３から表示器１２０に太陽光が入射して虚像Ｖが見えにくくなる現象（ウォッシュアウト）を防止する。
【００１３】
図２及び図５に示すように、下ケース１１２は、平面鏡１３０や凹面鏡１４０などを収容する。さらに、下ケース１１２には、収容部１１２ａが形成されている。収容部１１２ａには、表示器１２０および放熱フィン１１７が収容される。下ケース１１２は、収容部１１２ａの上板をなす制御基板載置部１１６を備える。制御基板載置部１１６は、下ケース１１２の底面１１２ｂよりも上方に位置する。制御基板載置部１１６は、その上面に制御基板１５０を設置するために設けられる。
【００１４】
図３に平面図で示すように、下ケース１１２は、後方左側に、制御基板載置部１１６から下ケース１１２の底面１１２ｂまで垂下する間仕切壁１１９ａ，１１９ｂを有する。制御基板載置部１１６、間仕切壁１１９ａ，１１９ｂは、表示器１２０および放熱フィン１１７を収容する収容部１１２ａを構成する。図２に示すように、間仕切壁１１９ａは、表示器１２０の投射レンズ１２１周りの壁面と一体に形成されている。間仕切壁１１９ａには、図３に示すように、表示器１２０から出射される表示光Ｌを通過させる窓部１９２が形成される。
【００１５】
下ケース１１２は、さらに、前方に、凹面鏡１４０の一対の軸１４１ａ，１４１ｂを受けるための一対の軸受１１８ａ，１１８ｂを有する。一対の軸受１１８ａ，１１８ｂは、凹面鏡１４０をその長手方向において挟み込むように互いに離れて位置する。一対の軸受１１８ａ，１１８ｂは、半円柱状をなす第１および第２の軸受孔１９０ａ，１９０ｂを有する。第１の軸受孔１９０ａにはその長手方向の中央に大径部受１９１ａが形成されている。大径部受１９１ａは、第１の軸受孔１９０ａの周方向に沿って半円環状をなす。大径部受１９１ａには、後述する軸１４１ａの大径部１４５ａが嵌合する。
【００１６】
下ケース１１２は、その後方右下に平面鏡固定部１１２ｃを有する。平面鏡固定部１１２ｃは、下ケース１１２の底面１１２ｂにおいて、平面鏡１３０の下端部を固定する凹部１１２ｈを有する。下ケース１１２は、図３に示す係止孔１１２ｄ，１１２ｅ，１１２ｆ，１１２ｇに、図４に示す上ケース１１１のフック１１１ａ，１１１ｂ，１１１ｃ，１１１ｄが係止されることで、上ケース１１１に固定される。下ケース１１２と上ケース１１１とで、筐体１１０を形成する。
【００１７】
表示器１２０は、図２に示すように、光を放射するバックライトと、バックライトからの光を、制御部からの画像信号に従って変調し、画像を表す表示光Ｌを生成するＤＭＤ（Ｄｉｇｉｔａｌ  Ｍｉｃｒｏ  Ｍｉｒｒｏｒ  Ｄｅｖｉｃｅ）素子と、生成された表示光Ｌを拡大する投射レンズ１２１と、を備える。図６に示すように、下ケース１１２後方左下の表示器１２０は、表示画像を示す表示光Ｌを下ケース１１２後方右下の平面鏡１３０へ出射する。表示器１２０は、下ケース１１２後方左下の収容部１１２ａに固定され、表示器１２０の周囲は放熱フィン１１７に覆われている。放熱フィン１１７は、表示器１２０の熱を放熱するべく、ＨＵＤ装置１００の外部に露出している。なお、表示光Ｌを生成するのは、ＤＭＤ素子に限られず、液晶パネルであってもよい。
【００１８】
図１０に示すように、表示器１２０の表示面１２３は、ブラインド部１８１の延長線Ｅに対して鋭角Ａをなすように斜め上に向けて配置されている。表示器１２０の表示面１２３には、画像が表示され、表示面１２３から表示光Ｌが出射される。
【００１９】
平面鏡１３０は、図５に示すように、略長方形の板状体である。平面鏡１３０は、図６に示すように、下ケース１１２後方左下の表示器１２０から入射した表示光Ｌを、下ケース１１２前方の凹面鏡１４０へ反射する。平面鏡１３０は、合成樹脂やガラス等から形成された平板状の基材の一表面に金属の反射膜が形成されたものである。平面鏡１３０は、表示器１２０からの表示光Ｌを凹面鏡１４０に向けて反射する。
【００２０】
凹面鏡１４０は、図６に示すように、その長手方向に沿って湾曲する略長方形の板状の鏡面を有する。凹面鏡１４０は、平面鏡１３０からの表示光Ｌをフロントガラス２００へ向けて反射する。凹面鏡１４０は、合成樹脂やガラス等から形成された基材の一表面に金属の反射膜が形成されたものである。平面鏡１３０と凹面鏡１４０とは、表示器１２０からの表示光Ｌを、被投射部材を構成するフロントガラス２００へ導く光学系を構成している。
【００２１】
凹面鏡１４０は、図７に示すように、上記鏡面を有する本体部１４０ａと、この本体部１４０ａの両側端に位置する軸１４１ａ，１４１ｂと、を備えている。各軸１４１ａ，１４１ｂは、凹面鏡１４０本体に近い側が断面矩形状に形成されており、先端部が断面円形に形成されている。軸１４１ａの先端部は、図３に示す第１の軸受孔１９０ａに回動可能に嵌合し、軸１４１ｂの先端部は第２の軸受孔１９０ｂに回動可能に嵌合する。軸１４１ａは、その長手方向の中央に位置する大径部１４５ａを備える。この大径部１４５ａは、第１の軸受孔１９０ａの大径部受１９１ａに嵌まる。これにより、軸１４１ａ、ひいては凹面鏡１４０は、軸受１１８ａのスラスト方向に沿って固定される。また、軸１４１ａは、下ケース１１２の底面１１２ｂに向かって延びる矩形板状のレバー部１４２を有する。軸１４１ａ，１４１ｂは、図３、図６に示すように、それぞれ上から断面略Ｚ字形の金具１９３ａ，１９３ｂおよびビス（ねじ）１９５ａ，１９５ｂで軸受孔１９０ａ，１９０ｂに摺動回転可能に固定される。
【００２２】
図７に示すように、モータ１４３は、モータ１４３が駆動することで、進退機構１４４を介して、凹面鏡１４０をその軸１４１ａ，１４１ｂを中心に回転させる。モータ１４３は、下ケース１１２の前方左側の底面１１２ｂに固定されている。モータ１４３は、モータ１４３が駆動することで軸回転する出力軸１４３ａを備える。進退機構１４４は、モータ１４３の出力軸１４３ａの軸回転を直線運動に変換し、その直線運動をレバー部１４２に伝達する。これにより、凹面鏡１４０は、モータ１４３の動力によって、凹面鏡１４０の傾斜角を調整する。モータ１４３および進退機構１４４は、レバー部１４２に回転力を伝える回転力伝達部を構成する。
【００２３】
制御基板１５０は、ＨＵＤ装置１００の全体の動作を制御する制御部が実装されたプリント回路基板である。制御部は、ＣＰＵ（Ｃｅｎｔｒａｌ  Ｐｒｏｃｅｓｓｉｎｇ  Ｕｎｉｔ）、メモリなどを備え、メモリに記憶された制御プログラムを実行し、表示器１２０を制御し、モータ１４３を通じて凹面鏡１４０の傾斜角を制御する。また、制御部は、外光センサ１６０から取得した車両３００の前方の照度データに応じて、表示光Ｌの発光輝度を調整するように表示器１２０を制御する。より具体的には、制御部は、外光センサ１６０からの照度データが示す照度が高くなるに従って、即ち、車両３００の前方の照度が高くなるに従って、表示画像Ｖの表示階調が高くなるように、表示器１２０に表示光Ｌの発光輝度を制御させる。制御基板１５０は、図２に示すように、上ケース１１１の天面（前面壁部）１１１ｆと表示器１２０の上面１２２との間に設けられている。制御基板１５０には、図５に示すように、外光センサ１６０が実装されている。本例では、外光センサ１６０は、制御基板１５０の上面のうち遮光壁１１５側に位置する。
【００２４】
外光センサ１６０は、フォトトランジスタ等の光検出素子である。外光センサ１６０は、車両３００の前方の照度を検出する。外光センサ１６０は、制御基板１５０と電気的に接続されており、検出した照度データを制御基板１５０の制御部へ出力する。
【００２５】
導光体１７０は、図５に示すように、例えばＰＭＭＡ（ＰｏｌｙＭｅｔｈｙｌＭｅｔｈＡｃｒｙｌａｔｅ）等の透光性樹脂から構成され、車両３００の前方の光を外光センサ１６０に導光する。導光体１７０は、外光センサ１６０の上方に配置されている。導光体１７０は、四角柱状部１７０ａと、その四角柱状部１７０ａの先端に位置する三角柱状部１７０ｂとが連結された形状をなす。導光体１７０は、外光を受光する受光部１７１と、受光部１７１により受光されて導光体１７０を通過する光を光出射部１７３に向けて反射する光反射部１７２と、導光体１７０により導かれた光を出射する光出射部１７３と、を備える。受光部１７１は、導光体１７０の四角柱状部１７０ａの底面に位置する。受光部１７１は、カバー１１４の内側にある上ケース１１１の遮光壁１１５の貫通孔１１１ｅに挿嵌される。光反射部１７２は、三角柱状部１７０ｂの一方の傾斜面に位置する。光出射部１７３は、三角柱状部１７０ｂの他方の傾斜面に位置する。光出射部１７３は、外光センサ１６０に対向する。
【００２６】
平面鏡保持部材１８０は、例えば黒色の合成樹脂からなり、図９（ａ）に示すように、側面視で断面略Ｌ字状の薄板状に形成されている。平面鏡保持部材１８０は、制御基板１５０と表示器１２０との間に配置されているブラインド部１８１と、ブラインド部１８１の右側端部から下ケース１１２の底面１１２ｂに向かって延び、平面鏡１３０を保持する平面鏡保持部１８２とを備えている。ブラインド部１８１の上部には、図８に示すように、制御基板１５０が載置されている。ブラインド部１８１は、制御基板１５０が位置する空間と表示器１２０から出射される光が通る空間との間を仕切っている。制御基板１５０は、図５、図８に示すように、ブラインド部１８１および下ケース１１２にビス１９５ｄ，１９５ｅ，１９５ｆで上から固定されている。ブラインド部１８１は、下ケース１１２にビス１９５ｄ，１９５ｅ，１９５ｆ，１９５ｇ，１９５ｈ，１９５ｉ，１９５ｊで上から固定されている。ビス１９５は、締結用具であって、頭部とねじ部を有する。ビス１９５は、ねじ部にすべて同方向のつる巻き線に沿った溝を有する雄ねじである。ビス１９５ａ〜１９５ｋは、上ケース１１１を取り外したときに外部に頭部が露出する位置に配置されていて、同一方向に延びている。ブラインド部１８１は、制御基板１５０の裏面で、迷光を除去することができる。ブラインド部１８１は、その右側端部に短冊状の挿通孔１８３を備えている。図５、図９（ｂ）に示すように、平面鏡１３０は、挿通孔１８３と下ケース１１２の底面１１２ｂに設けられた平面鏡固定部１１２ｃとに上下端を保持され、平面鏡保持部１８２に両側端および背面を保持されている。
【００２７】
このＨＵＤ装置１００によれば、制御基板１５０が筐体１１０の内部に設けられているので、ＨＵＤ装置の小型化を図ることができる。また、外光センサ１６０が制御基板１５０に実装されているので、外光センサホルダや外光センサ用の基板が不要である。従って、外光センサ用の基板と制御基板１５０との間の配線も不要である。これにより、外光センサ用の基板と制御基板１５０との間の配線の取付作業が無くなるので、外光センサと制御基板との接続構造は、部品点数を削減しつつ簡単に組立できるものになる。また、制御基板１５０が取り付けられている場所は、従来のＨＵＤ装置内でのデッドスペースであるので、ＨＵＤ装置１００は、従来制御基板が設置されていたスペース分の体積を減らすことができる。
【００２８】
また、ＨＵＤ装置１００は、外光センサ１６０に外光を導光する導光体１７０を備えているので、外光センサ１６０を筐体１１０の外部に露出させなくてよく、外光センサホルダが必要ない。また、導光体１７０の長さ等を調整することによって筐体１１０の外周付近に外光センサ１６０の配置を限定されることがなくなる。従って、外光センサ１６０を実装する制御基板１５０の配置も限定されなくなる。
【００２９】
ＨＵＤ装置１００は、遮光壁１１５を備え、導光体１７０が遮光壁１１５に形成された貫通孔１１１ｅを介して外光センサ１６０に外光を導く。このため、開口部１１３や貫通孔１１１ｅから入射する太陽光による迷光によって表示光Ｌが見えにくくなるのを防止できる。なお、外光センサ１６０は、制御基板１５０の上面のうち、遮光壁１１５に近い端部に位置していると、外光が表示器１２０に入射する可能性をより低下させることが出来る。
【００３０】
制御基板１５０は、表示器１２０の上に配置されているが、平面鏡保持部材１８０のブラインド部１８１が制御基板１５０の下部に配置されているので、ＨＵＤ装置１００はブラインド部１８１によって迷光を除去できる。また、ブラインド部１８１と平面鏡保持部１８２とは、一つの部材であるので、部品点数が削減でき、組立が容易になる。
【００３１】
表示器１２０の表示面１２３は、ブラインド部１８１に対して鋭角Ａをなすように斜め上に向けて配置されている。このため、開口部１１３から筐体１１０内に侵入した迷光Ｓが表示面１２３に照射された場合、表示面１２３は斜め上に迷光Ｓを反射する。よって、迷光Ｓを、直接に、又は平面鏡１３０を介して、ブラインド部１８１の下面に到達させることができる。従って、表示面１２３で反射された迷光Ｓは視認者Ｕに到達するおそれが小さくなり、視認者Ｕの視界は迷光Ｓに妨げられる可能性が小さくなる。また、従来、表示面は下ケースの底面に向けて配置されていたのに対し、本実施形態では、表示面１２３は、ブラインド部１８１に対して鋭角Ａをなすように斜め上に向けて配置されていることにより、ＨＵＤ装置１００の組立時に、組立作業者は、下ケース１１２の上方から窓部１９２を介して表示器１２０の表示面１２３を目視しながら表示器１２０の取付作業をすることができる。従って、本実施形態のＨＵＤ装置１００は、従来の表示面が下ケースの底面に向けて配置されていたＨＵＤ装置に比べて、作業効率が向上するとともに作業精度を高めることができる。
【００３２】
軸受１１８ａ，１１８ｂは、上ケース１１１を取り外したときに外部に露出する位置に形成されているので、凹面鏡１４０の軸１４１ａ，１４１ｂを上から軸受１１８ａ，１１８ｂに配置するだけで、凹面鏡１４０の設置ができる。
【００３３】
また、軸１４１ａは、大径部１４５ａを備えており、第１の軸受孔１９０ａは、大径部１４５ａが嵌合する大径部受１９１ａを備えているので、凹面鏡１４０のスラスト方向へのズレを防ぐことができ、凹面鏡１４０を下ケース１１２の軸受１１８ａ，１１８ｂに容易に取り付けることができる。
【００３４】
回転力伝達部であるモータ１４３および進退機構１４４は、下ケース１１２の底面１１２ｂに設けられ、レバー部１４２は、底面１１２ｂに向かって延びているので、凹面鏡１４０を回転させる機構の組立が容易になる。
【００３５】
次に、ＨＵＤ装置１００の組立方法について説明する。
【００３６】
下ケース１１２の収容部１１２ａに表示器１２０および放熱フィン１１７が固定される。その下ケース１１２内にモータ１４３を固定し、凹面鏡１４０の軸１４１ａ，１４１ｂを、それぞれ軸受１１８ａ，１１８ｂに嵌め込む。そして、金具１９３ａ，１９３ｂで軸受１１８ａ，１１８ｂに固定する。
【００３７】
次に、ブラインド部１８１が制御基板載置部１１６の上面に位置するように平面鏡保持部材１８０を下ケース１１２に嵌め込む。そして、ブラインド部１８１の上面に制御基板１５０が設置される。
【００３８】
この状態で、ビス１９５ａ〜１９５ｋが一斉に螺合される。最後に、上ケース１１１が下ケース１１２に嵌め込まれる。以上でＨＵＤ装置１００の組立が完了する。
【００３９】
このように、モータ１４３、凹面鏡１４０、平面鏡保持部材１８０、制御基板１５０を、下方向に嵌め込み、上からビス１９５で下ケース１１２に固定するだけでよいので、ＨＵＤ装置１００の組立が容易になる。
【００４０】
以上、本発明の実施の形態を説明したが、この発明は上記実施の形態に限定されず、種々の応用及び変形が可能である。
【００４１】
本実施形態では、平面鏡保持部材１８０は、側面視で断面略Ｌ字状の薄板状に形成され、平面鏡１３０は挿通孔１８３と平面鏡固定部１１２ｃとに上下端を保持され、平面鏡保持部１８２に両側端を保持される構成であった。しかし、平面鏡保持部材１８０は、平面鏡１３０を保持でき、かつ、ブラインド部１８１によって迷光を除去できるものであれば、その形状は問わない。ブラインド部１８１と平面鏡保持部１８２とは、一つの部材であると部品点数が削減でき、組立が容易になるが、別々の部材であってもよい。
【００４２】
本実施形態では、制御基板１５０の制御部が外光センサ１６０からの照度データに応じて表示光Ｌの発光輝度を調整していたが、制御基板１５０は外光センサ１６０を実装しておらず視認者Ｕが自ら表示光Ｌの発光輝度を調整してもよい。あるいは、制御部が外光センサ１６０からの照度データに応じて表示光Ｌの発光輝度を調整することができ、かつ、視認者Ｕが自ら表示光Ｌの発光輝度を調整できる構成としてもよい。
【００４３】
本実施形態では、被投射部材をフロントガラスとしたが、被投射部材はコンバイナなどであってもよい。
【００４４】
本実施形態では、ヘッドアップディスプレイ装置は、車載されていたが、車載用に限られず、飛行機、船舶等の任意の移動体に搭載されていてもよい。
【００４５】
また、本実施形態では、凹面鏡１４０は、レバー部１４２を有していたが、凹面鏡１４０は、レバー部を有さず、レバー部の機能を代替できる他の部品が別個配置されていてもよい。
【００４６】
本実施形態では、ブラインド部１８１（平面鏡保持部材１８０）は、反射率の低い色である黒色の合成樹脂で形成されていたが、ブラインド部１８１は、ニッケルとリンとの合金などの反射率の低い物質で形成されていてもよい。あるいは、ブラインド部１８１の下面だけが、反射率の低い色が印刷されていたり、反射率の低い物質で形成されていてもよい。
【００４７】
また、本実施形態では、間仕切壁１１９ａは、上方（ブラインド部１８１の下面）に向けて所定の角度で傾斜していたが、間仕切壁１１９ａは、垂直に形成されていて、側面視逆三角形状の傾斜調整用の部材などを間に挟んで表示面１２３を配置することで、表示面１２３が上方に向けて所定の角度で傾斜するようにしてもよい。あるいは、間仕切壁１１９ａは下ケース１１２に形成されておらず、表示面１２３が上方に向けて所定の角度で傾斜して配置できる位置決め用の部材が下ケース１１２に形成されていてもよい。
【符号の説明】
【００４８】
１００    ヘッドアップディスプレイ装置
１１０    筐体
１１１    上ケース
１１１ｅ  貫通孔
１１２    下ケース
１１３    開口部
１１５    遮光壁
１２０    表示器
１２３    表示面
１３０    平面鏡
１４０    凹面鏡
１５０    制御基板
１６０    外光センサ
１７０    導光体
１７１    受光部
１７３    光出射部
１８０    平面鏡保持部材
１８１    ブラインド部
１８２    平面鏡保持部
１９５ａ〜１９５ｋ    ビス（ねじ）
２００    フロントガラス（被投射部材）
３００    車両
Ｌ        表示光
Ｓ        迷光
Ｕ        視認者
【図１】
2018120209.tif 000003
【図２】
2018120209.tif 000004
【図３】
2018120209.tif 000005
【図４】
2018120209.tif 000006
【図５】
2018120209.tif 000007
【図６】
2018120209.tif 000008
【図７】
2018120209.tif 000009
【図８】
2018120209.tif 000010
【図９】
2018120209.tif 000011
【図１０】
2018120209.tif 000012